(57)【要約】【課題】ユーザの手を煩わすことなく、通信回線上の他装置に登録されている宛先のうち指定された通信機能に対応する宛先を利用可能な使用環境をユーザに与えることができる通信装置を提供する。【解決手段】装置Ａ３１において「送信／ＦＡＸ」モードのＦＡＸモードが選択されると、装置Ａ３１は、他装置Ｂ３２，Ｃ３３，Ｄ３４に登録されているＦＡＸ宛先情報を取得する。そして、装置Ａ３１に登録されていないＦＡＸ宛先情報が抽出され、抽出された装置Ａ３１にないＦＡＸ宛先情報の一覧が、装置Ａ３１のＦＡＸ宛先情報として選択可能に操作パネル２７Ａに表示される。上記表示されたＦＡＸ宛先情報の一覧から所望のＦＡＸ宛先情報がユーザにより選択されると、ユーザにより選択されたＦＡＸ宛先情報が示すファクシミリ番号の宛先に対してファクシミリ送信が行われる。【選択図】図２
2008289191.tif 000002
【特許請求の範囲】
【請求項１】
複数の通信機能を有し、該通信機能を用いて通信を実行する際の宛先を登録することが可能な通信装置であって、
前記複数の通信機能の中から少なくとも１つの通信機能を指定する指定手段と、
前記指定手段による通信機能の指定に応じて、通信回線を介して接続される少なくとも１つの他装置から、該他装置に登録されている宛先を取得する取得手段と、
前記取得手段により取得された他装置に登録されている宛先のうち前記指定手段により指定された通信機能に対応する宛先を表示する表示手段と、
前記表示手段により表示された他装置に登録されている宛先のうち前記指定手段により指定された通信機能に対応する宛先の中から所望の宛先を選択する選択手段と、
前記選択された宛先にデータを送信する送信手段と
を備えることを特徴とする通信装置。
【請求項２】
前記取得手段は、該他装置に登録されている宛先のうち前記指定手段により指定された通信機能に対応する宛先を取得することを特徴とする請求項１に記載の通信装置。
【請求項３】
前記表示手段は、前記取得手段により取得された他装置の宛先のうち前記指定手段により指定された通信機能に対応する宛先と、前記通信装置に登録されている宛先のうち前記指定手段により指定された通信機能に対応する宛先とを、互いに識別可能に表示することを特徴とする請求項１又は２に記載の通信装置。
【請求項４】
複数の通信機能を有し、該通信機能を用いて通信を実行する際の宛先を登録することが可能な通信装置を制御するための制御方法であって、
前記複数の通信機能の中から少なくとも１つの通信機能を指定する指定工程と、
前記指定工程による通信機能の指定に応じて、通信回線を介して接続される少なくとも１つの他装置から、該他装置に登録されている宛先を取得する取得工程と、
前記取得工程により取得された他装置に登録されている宛先のうち前記指定工程により指定された通信機能に対応する宛先を表示する表示工程と、
前記表示工程により表示された他装置に登録されている宛先のうち前記指定工程により指定された通信機能に対応する宛先の中から所望の宛先を選択する選択工程と、
前記選択された宛先にデータを送信する送信工程と
を備えることを特徴とする通信装置の制御方法。
【請求項５】
複数の通信機能を有し、該通信機能を用いて通信を実行する際の宛先を登録することが可能な通信装置を制御するための制御プログラムであって、
前記複数の通信機能の中から少なくとも１つの通信機能を指定する指定ステップと、
前記指定ステップによる通信機能の指定に応じて、通信回線を介して接続される少なくとも１つの他装置から、該他装置に登録されている宛先を取得する取得ステップと、
前記取得ステップにより取得された他装置に登録されている宛先のうち前記指定ステップにより指定された通信機能に対応する宛先を表示する表示ステップと、
前記表示ステップにより表示された他装置に登録されている宛先のうち前記指定ステップにより指定された通信機能に対応する宛先の中から所望の宛先を選択する選択ステップと、
前記選択された宛先にデータを送信する送信ステップと
をコンピュータにより実行させることを特徴とする制御プログラム。
【発明の詳細な説明】
【技術分野】
【０００１】
本発明は、通信装置、その制御方法および制御プログラムに関する。
【背景技術】
【０００２】
従来、装置の機能および操作に関するモード設定は、装置に設けられたユーザインタフェースを介してオペレータが入力することにより行われている。ここで、モード設定としては、例えば、ファクシミリの送付先や電子メールの送付先などを設定するモードがある。このようなモード設定を一度行うと、次に同じ相手先に画像を送信するときに、設定されたモードを呼び出すことで、送信相手先の設定を行う手間を省くことができる。
【０００３】
しかしながら、複数の装置が同一のローカルエリアネットワーク（ＬＡＮ）内に存在するオフィス環境などでは、１つの装置に対してモード設定が行われても、このモード設定は他の装置には反映されないため、装置毎に使い勝手が異なる。また、装置毎に使い勝手を同じにするためには、全ての装置にモード設定を行わねばならず、作業が膨大になる。
【０００４】
そこで、ＬＡＮのような通信回線を介して接続されているコンピュータ端末のような装置において、オペレータがユーザモードの設定に関する装置設定情報（通信回線を介して接続されている他装置より送信される装置の機能および操作上の設定を行うための情報）が生成され、生成された装置設定情報が通信回線を介して設定対象とする装置に送信され、設定対象の装置において、送信された装置設定情報が受信されてメモリに登録される技術が提案されている（例えば、特許文献１を参照）。この技術により、オペレータは、必要に応じて装置側に登録するユーザモードを選択することによって、モード設定を容易に行うことができる。
【特許文献１】特開２００１−３３７７９７号公報
【発明の開示】
【発明が解決しようとする課題】
【０００５】
しかしながら、上記従来例においては、装置設定情報を更新するために、各装置に対して新たな装置設定情報を送信し、また各装置を操作するときに新たな装置設定情報を登録する必要があり、作業が煩雑である。
【０００６】
本発明の目的は、通信回線上の他装置に登録されている宛先のうち指定された通信機能に対応する宛先を利用可能な使用環境をユーザに与えることができる通信装置、その制御方法および制御プログラムを提供することにある。
【課題を解決するための手段】
【０００７】
本発明は、上記目的を達成するため、複数の通信機能を有し、該通信機能を用いて通信を実行する際の宛先を登録することが可能な通信装置であって、前記複数の通信機能の中から少なくとも１つの通信機能を指定する指定手段と、前記指定手段による通信機能の指定に応じて、通信回線を介して接続される少なくとも１つの他装置から、該他装置に登録されている宛先を取得する取得手段と、前記取得手段により取得された他装置に登録されている宛先のうち前記指定手段により指定された通信機能に対応する宛先を表示する表示手段と、前記表示手段により表示された他装置に登録されている宛先のうち前記指定手段により指定された通信機能に対応する宛先の中から所望の宛先を選択する選択手段と、前記選択された宛先にデータを送信する送信手段とを備えることを特徴とする通信装置を提供する。
【０００８】
本発明は、上記目的を達成するため、複数の通信機能を有し、該通信機能を用いて通信を実行する際の宛先を登録することが可能な通信装置を制御するための制御方法であって、前記複数の通信機能の中から少なくとも１つの通信機能を指定する指定工程と、前記指定工程による通信機能の指定に応じて、通信回線を介して接続される少なくとも１つの他装置から、該他装置に登録されている宛先を取得する取得工程と、前記取得工程により取得された他装置に登録されている宛先のうち前記指定工程により指定された通信機能に対応する宛先を表示する表示工程と、前記表示工程により表示された他装置に登録されている宛先のうち前記指定工程により指定された通信機能に対応する宛先の中から所望の宛先を選択する選択工程と、前記選択された宛先にデータを送信する送信工程とを備えることを特徴とする通信装置の制御方法を提供する。
【０００９】
本発明は、上記目的を達成するため、複数の通信機能を有し、該通信機能を用いて通信を実行する際の宛先を登録することが可能な通信装置を制御するための制御プログラムであって、前記複数の通信機能の中から少なくとも１つの通信機能を指定する指定ステップと、前記指定ステップによる通信機能の指定に応じて、通信回線を介して接続される少なくとも１つの他装置から、該他装置に登録されている宛先を取得する取得ステップと、前記取得ステップにより取得された他装置に登録されている宛先のうち前記指定ステップにより指定された通信機能に対応する宛先を表示する表示ステップと、前記表示ステップにより表示された他装置に登録されている宛先のうち前記指定ステップにより指定された通信機能に対応する宛先の中から所望の宛先を選択する選択ステップと、前記選択された宛先にデータを送信する送信ステップとをコンピュータにより実行させることを特徴とする制御プログラムを提供する。
【発明の効果】
【００１０】
本発明によれば、通信回線上の他装置に登録されている宛先のうち指定された通信機能に対応する宛先を利用可能な使用環境をユーザに与えることができる。
【発明を実施するための最良の形態】
【００１１】
以下、本発明の実施の形態について図面を参照しながら説明する。
【００１２】
（第１の実施の形態）
図１は本発明の第１の実施の形態に係る通信装置としての画像形成装置の概略構成を示すブロック図、図２は図１の画像形成装置の使用形態の一例を示す図である。
【００１３】
画像形成装置１は、図１に示すように、複数の機能を有するデジタル複合機であり、装置全体を制御するとともに、各機能を実行するための個別処理を実行するためのＣＰＵ１１を備える。ここで、複数の機能には、ファクシミリ機能、プリンタ機能、コピー機能の各機能が含まれる。ＣＰＵ１１は、バスブリッジ２０を介して、画像回転装置１２、メモリ制御装置１３、外部入出力制御装置１４、画像出力装置１５、画像入力装置１６、操作パネル制御装置１７、画像描画装置１８、および画像圧縮・伸長装置１９を接続する。
【００１４】
画像回転装置１２は、６４ビット×６４ビットの画像の回転を行うものである。メモリ制御装置１３は、印刷データの受信バッファやＣＰＵ１１のワークエリア、または描画データ展開用のメモリとして使用されるＲＡＭ２１、および本デジタル複合機１の制御プログラムやフォントデータを格納するＲＯＭ２２に対するデータの読み出しおよび書き込みを制御するものである。
【００１５】
外部入出力制御装置１４は、ホストコンピュータなどの外部機器２８を接続するためのＵＳＢインタフェース、IEEE1284インタフェース、ＰＣＩインタフェースなどを有する。本実施の形態においては、外部入出力制御装置１４には、ＵＳＢインタフェースを介して例えばホストコンピュータ、ＨＤＤ（ハードディスク装置）などの外部機器２８が、ＰＣＩインタフェースを介して、ＦＡＸモジュール２３およびＬＡＮモジュール２４が接続されている。ＦＡＸモジュール２３は、電話回線に接続され、ファクシミリ通信を行うためのモジュールである。ＬＡＮモジュール２４は、ＬＡＮ（Local Area Network）に接続され、ＬＡＮ上の機器と通信を行うためのモジュールである。
【００１６】
画像出力装置１５は、ＲＡＭ２１に格納されている描画データをプリンタエンジン２５に出力するものである。プリンタエンジン２５は、上記描画データに基づいて画像を用紙上に印刷するものである。画像入力装置１６は、スキャナ２６からの入力画像データをＲＡＭ２１に格納するものである。
【００１７】
操作パネル制御装置１７は、ユーザインタフェースを構成するための操作パネル２７を制御するものである。操作パネル２７には、タッチパネル付液晶表示装置および複数のハードキーが設けられており、これらを用いて各種入力を行うことが可能であるとともに、設定された情報を表示することが可能である。
【００１８】
画像描画装置１８は、ＣＰＵ１１が外部入出力制御装置１４から入力された印刷データに基づいて変換した中間データを解釈し、描画データに変換するものである。画像圧縮・伸張装置１９は、省メモリのために、一時的に描画データを圧縮したり、伸張したりするものである。バスブリッジ２０は、接続される各ブロックに対するアクセスの調停機能を有する。
【００１９】
画像形成装置１は、ＬＡＮモジュール２４からＬＡＮを介して接続されている１または複数の他装置に対して、現在操作中のモードに対応する装置設定情報の送信を要求し、この要求に応じて１つまたは複数の他装置から送信される装置設定情報を受信するための制御を行う。そして、上記要求に応答して１または複数の他装置から送信された装置設定情報が受信されると、受信された装置設定情報は自装置に登録されている装置設定情報と比較され、１または複数の他装置から受信された装置設定情報から、自装置にはない他装置の装置設定情報が抽出される。抽出された自装置にはない他装置の装置設定情報は、この装置設定情報を自装置の装置設定情報と見なすために、ＲＡＭ２１に一時的に記憶される。ここで、ＲＡＭ２１には、現在操作中の自装置の装置設定情報も記憶される。また、抽出された自装置にはない他装置の装置設定情報は、自装置の装置設定情報とともに操作パネル２７に表示される。ユーザは、この操作パネル２７に表示された自装置にはない他装置の装置設定情報および自装置の装置設定情報の中から所望の装置設定情報を選択することができ、ユーザにより装置設定情報が選択されると、選択された装置設定情報がＲＡＭ２１から読み出され、読み出された装置設定情報に対応する設定が画像形成装置１に対して行われる。
【００２０】
このような画像形成装置１は、例えば図２に示すような形態で用いられる。図２に示す装置Ａ３１、装置Ｂ３２、装置Ｃ３３、装置Ｄ３４のそれぞれは、上記画像形成装置１と同一の構成を有する画像形成装置であり、これらの装置は、それぞれＬＡＮ３５に接続されている。
【００２１】
次に、装置Ａ３１の操作パネル２７Ａ（図１の操作パネル２７に相当する）における、自装置にはない他装置の装置設定情報と自装置の装置設定情報とを表示する画面例について図３および図４を参照しながら説明する。図３は図２の装置Ａ３１の操作パネル２７Ａ（図１の操作パネル２７に相当する）に表示される、自装置にはない他装置の装置設定情報と自装置の装置設定情報との一覧画面の一例を示す図、図４は図３の画面をスクロールすることによって他の装置設定情報が表示された画面の一例を示す図である。
【００２２】
現在、装置Ａ３１の操作パネル２７Ａ上において、「送信／ＦＡＸ」モードのＦＡＸモードが選択されているとすると、図３に示すように、装置Ａ３１に登録されているＦＡＸ宛先情報（ファクシミリ送信先）の一覧が表示される。ここで、他装置のＦＡＸ宛先情報（自装置にはない他装置のＦＡＸ宛先情報）が取得されていれば、装置Ａ３１のＦＡＸ宛先情報とともに他装置のＦＡＸ宛先情報の一覧が表示される。この図３に示す画面例は、装置Ａ３１に登録されているＦＡＸ宛先情報の一覧のみが表示されている場合の例である。本例において、装置Ａ３１には、予め、ＦＡＸ宛先情報として、商社Ａ〜Ｃ、電子機器メーカーＡ〜Ｅ、部門Ａ〜Ｂが登録されているものとする。また、装置Ｂ３２には基板メーカーＡ、商社Ａ〜Ｂ、電子機器メーカーＡ〜Ｃ、部門Ａ〜Ｄが、装置Ｃ３３には基板メーカーＢ、商社Ｂ〜Ｄ、電子機器メーカーＢ，Ｄ，Ｆ、部門Ｂ〜Ｄが、装置Ｄ３４には基板メーカーＡ〜Ｃ、商社Ａ，Ｃ，Ｅ、電子機器メーカーＡ，Ｃ，Ｅ、部門Ａ，Ｃ，Ｅがそれぞれ登録されているものとする。
【００２３】
図３の画面例においては、一度に表示可能な宛先が７件であるので、上下スクロールキーを操作することによって、装置Ａ３１に登録されている他の宛先を表示することができる。図３に示す画面状態で、スクロールキーを操作すると、図４に示すように、他の宛先が表示される。
【００２４】
図３の画面の表示中において、装置Ａ３１は、バックグラウンドで図５のフローチャートに示す手順に従って、他装置の装置設定情報を取得するための処理を実行する。この動作について図５〜図９を参照しながら説明する。図５は図２の装置Ａ３１（図１の画像形成装置）による他装置の装置設定情報を取得するための処理の手順を示すフローチャート、図６は装置Ａ３１の操作パネル２７に装置Ｂ３２のＦＡＸ宛先情報（装置Ａ３１にはない装置Ｂ３２のＦＡＸ宛先情報）が選択肢として追加表示された場合の画面例を示す図、図７は装置Ａ３１の操作パネル２７Ａに装置Ｂ３２のＦＡＸ宛先情報（装置Ａ３１にはない装置Ｂ３２のＦＡＸ宛先情報）の一覧が表示された場合の画面例を示す図、図８は装置Ａ３１の操作パネル２７Ａに装置Ｃ３３のＦＡＸ宛先情報（装置Ａ３１および装置Ｂにはない装置Ｃ３３のＦＡＸ宛先情報）の一覧が表示された場合の画面例を示す図、図９は装置Ａ３１の操作パネル２７ＡにＬＡＮ３５上の装置の探索後によって得られたＦＡＸ宛先情報の一覧を表示した場合の画面例を示す図である。このフローチャートで示す手順は、装置Ａ３１のＣＰＵ（図１に示すＣＰＵ１１）により、ＲＯＭ（図１のＲＯＭ２２）に格納されているプログラムに従って実行されるものである。
【００２５】
装置Ａ３１の操作パネル２７Ａ上において「送信／ＦＡＸ」モードのＦＡＸモードが選択されると、装置Ａ３１は、図５に示すように、まずステップＳ１において、ＬＡＮ３５上の装置のうち、未探索の装置が無いか否かを判定する。ここで、最初はまだ装置の探索が行われていないので、装置Ａ３１は、ステップＳ２において、探索する装置を決定する。ここでは、まず装置Ｂ３２の探索を行うことが決定されるとする。そして、装置Ａ３１は、ステップＳ３において、探索する属性を決定する。ここで、現在、装置Ａ３１で操作中の属性はＦＡＸ宛先情報であるので、探索する属性はＦＡＸ宛先情報と決定されている。
【００２６】
次いで、装置Ａ３１は、ステップＳ４において、装置Ｂ３２に対してＦＡＸ宛先情報のリクエストを行い、このリクエストに応答して装置Ｂ３２から返されるＦＡＸ宛先情報の一覧（探索済み属性）を受信する。この受信された装置Ｂ３２のＦＡＸ宛先情報の一覧は、ＲＡＭ２１に一時的に記憶される。また、装置Ａ３１のＦＡＸ宛先情報は、装置Ａ３１のＨＤＤ（図１のＨＤＤ２８）に格納されており、ＦＡＸモードが選択されたことに伴い、上記ＨＤＤから読み出されてＲＡＭ２１に一時的に記憶される。そして、装置Ａ３１は、ステップＳ５において、装置Ａ３１に登録されているＦＡＸ宛先情報の一覧（登録済み属性）と装置Ｂ３２のＦＡＸ宛先情報の一覧（探索済み属性）とを比較する。そして、装置Ａ３１は、ステップＳ６において、上記比較結果により、装置Ｂ３２のＦＡＸ宛先情報の一覧のうち、装置Ａ３１に登録されていないＦＡＸ宛先情報を抽出し、抽出された装置Ａ３１にない装置Ｂ３２のＦＡＸ宛先情報の一覧を、装置Ａ３１のＦＡＸ宛先情報の一覧とともに操作パネル２７Ａに表示する。ここでは、装置Ａ３１の操作パネル２７Ａには、例えば図６に示すように、装置Ａ３１のＦＡＸ宛先情報の一覧が表示されているが、装置Ａ３１にはない装置Ｂ３２のＦＡＸ宛先情報の一覧が選択肢として追加表示される。ここで、操作パネル２７Ａにおいて、装置Ｂ３２のＦＡＸ宛先情報の一覧の表示画面への切り替えを行うと、図７に示すように、装置Ａ３１には登録されていない装置Ｂ３２のＦＡＸ宛先情報の一覧が表示される。
【００２７】
次いで、装置Ａ３１は、ステップＳ７において、抽出された装置Ａ３１にはない装置Ｂ３２のＦＡＸ宛先情報を、装置Ａ３１のＦＡＸ宛先情報とともに、登録済みＦＡＸ宛先情報（登録済み属性）としてＲＡＭ２１に一時的に記憶される。そして、装置Ａ３１は、上記ステップＳ１に戻り、装置Ｂ３２と同様に、次の装置すなわち装置Ｃ３３、装置Ｄ３４の探索を行い、ＬＡＮ３５上の全ての装置の探索が終了すれば、本処理を終了する。
【００２８】
ここで、装置Ｃ３３に対する探索においては、装置Ａ３１のＦＡＸ宛先情報および装置Ａ３１にない装置Ｂ３２のＦＡＸ宛先情報を登録済みＦＡＸ宛先情報として、これらのＦＡＸ宛先情報と装置Ｃ３３のＦＡＸ宛先情報とが比較され、装置Ｃ３３のＦＡＸ宛先情報のうち、登録済みＦＡＸ宛先情報にないＦＡＸ宛先情報が抽出される。そして、この抽出されたＦＡＸ宛先情報は、図８に示すように、装置Ａ３１のＦＡＸ宛先情報として選択することが可能なように操作パネル２７Ａに追加表示される。また、抽出された登録済みＦＡＸ宛先情報にない装置Ｃ３３のＦＡＸ宛先情報は、上記登録済みＦＡＸ宛先情報に組み込まれ、登録済みＦＡＸ宛先情報としてＲＡＭ２１に一時的に記憶される。また、装置Ｄ３４に対する探索においても、同様に、装置Ｄ３４のＦＡＸ宛先情報のうち、登録済みＦＡＸ宛先情報（装置Ａ３１、装置Ｂ３２、装置Ｃ３３の宛先）にないＦＡＸ宛先情報が抽出され、登録済みＦＡＸ宛先情報としてＲＡＭ２１に一時的に記憶される。
【００２９】
このようにしてＬＡＮ３５上の各装置に対する探索が終了すると、最終的には、図９に示すように、装置Ａ３１においては、装置Ａ３１から装置Ｄ３４の４つの装置に登録されている全てのＦＡＸ宛先情報（それぞれ異なるＦＡＸ宛先情報）の一覧が表示される。
【００３０】
上記操作パネル２７Ａに表示されたＦＡＸ宛先情報の一覧から、所望のＦＡＸ宛先情報がユーザにより選択されると、ユーザにより選択されたＦＡＸ宛先情報（ファクシミリ番号）が設定され、この設定されたＦＡＸ宛先情報が示すファクシミリ番号の宛先に対してファクシミリ送信が行われる。そして、ファクシミリ送信の終了に伴いＦＡＸモードが終了されると、ＲＡＭ２１に一時的に記憶されている登録済みＦＡＸ宛先情報は、消去される。この後、送信／ＦＡＸモードのＦＡＸモードが再び選択されると、上記処理が同様に実行され、装置Ａ３１においては、装置Ａ３１から装置Ｄ３４の４つの装置に登録されている全てのＦＡＸ宛先情報の中から、所望のＦＡＸ宛先情報を選択することができる。
【００３１】
以上説明した処理は、ユーザの指示により実行される処理ではなく、送信／ＦＡＸモードのＦＡＸモードが選択された時点において、自動的に装置Ａ３１内部で行われる処理である。そして、他装置のそれぞれから情報が得られる都度、得られた情報が操作パネル２７Ａに選択肢として追加される。従って、ユーザの手を煩わせることがない。また、装置Ａ３１からＬＡＮ３５上の他装置に登録されているＦＡＸ宛先情報を利用することができるので、装置Ａ３１に他装置のＦＡＸ宛先情報を登録する必要はなく、装置Ａ３１は、結果的に全ての装置に登録されているＦＡＸ宛先情報が登録されていることと同じ使用環境をユーザに与えることができる。すなわち、全ての装置に同一の設定を行うことなく、全ての装置の使い勝手を同じにすることができる。
【００３２】
本実施の形態においては、装置設定情報としてＦＡＸ宛先情報の場合を説明したが、例えば送信先の電子メールアドレス、送信先のフォルダ、送信先のボックスなどの装置設定情報に関しても、同様に、装置Ａ３１から他装置に登録されているこれらの装置設定情報を利用することができる。
【００３３】
また、本実施の形態においては、送信／ＦＡＸモードのＦＡＸモードが選択された時点で、他装置のＦＡＸ宛先情報を取得するように探索が行われるが、例えば、装置Ａ３１の装置電源が投入された時点で他装置のＦＡＸ宛先情報を取得するように探索を行うようにしてもよい。但し、この場合、他装置の探索後に他装置においてＦＡＸ宛先情報の更新が行われると、装置Ａ３１の装置電源が再度投入されるまで、他装置の更新されたＦＡＸ宛先情報を利用することができないことになる。
【００３４】
また、本実施の形態においては、装置Ａ３１からＬＡＮ３５上の他装置に登録されている装置設定情報を利用する場合を述べたが、装置Ｂ３２、装置Ｃ３３、装置Ｄ３４も、図１の画像形成装置１と同じ構成を有するので、装置Ａ３１と同様に、装置Ｂ３２、装置Ｃ３３、装置Ｄ３４のいずれかからでも、ＬＡＮ３５上の他装置に登録されている装置設定情報を利用することができる。
【００３５】
（第２の実施の形態)
次に、本発明の第２の実施の形態について図１０〜図１４を参照しながら説明する。図１０は本発明の第２の実施の形態に係る通信装置としての画像形成装置による他装置の装置設定情報を自装置に登録するための処理の手順を示すフローチャート、図１１は装置Ａ３１の操作パネル２７Ａに装置Ｂ３２のＦＡＸ宛先情報（装置Ａ３１にはない装置Ｂ３２のＦＡＸ宛先情報）の一覧が表示された場合の画面例を示す図、図１２は操作パネル２７Ａに表示されている装置Ｂ３２のＦＡＸ宛先情報の一覧上において装置Ａ３１に登録するＦＡＸ宛先情報が選択された画面状態を示す図、図１３は選択された装置Ｂ３２のＦＡＸ宛先情報が組み込まれた装置Ａ３１のＦＡＸ宛先情報の一覧の画面例を示す図、図１４は選択された装置Ｂ３２のＦＡＸ宛先情報が装置Ａ３１のＦＡＸ宛先情報に組み込まれた後の装置Ｂ３２のＦＡＸ宛先情報の一覧の画面例を示す図である。
【００３６】
本実施の形態は、上記第１の実施の形態と同様の構成を有し、以下の説明においては、同一の符号を用いる。
【００３７】
上記第１の実施の形態は、ＦＡＸモードが選択される都度、他装置に登録されているＦＡＸ宛先情報を探索するものであり、自装置に他装置の装置設定情報を登録することは行わない。しかし、例えば自装置をＦＡＸモードにしたときに他装置に電源が投入されていないなど、他装置が立ち上げられていない場合は、その装置に登録されているＦＡＸ宛先情報を自装置では利用することができない。
【００３８】
そこで、本実施の形態においては、自装置に他装置の装置設定情報を登録する機能が設けられている。この登録機能の前提としては、上記第１の実施の形態の処理が既に行われており、他装置に登録されているＦＡＸ宛先情報（自装置にはない他装置のＦＡＸ宛先情報）が自装置のＲＡＭ２１に記憶されているものとする。
【００３９】
この登録機能について図１０〜図１４を参照しながら説明する。ここでは、装置Ａ３１において、装置Ｂ３２に登録されている基板メーカーＡの情報を登録する場合を説明する。
【００４０】
装置Ａ３１は、図１０に示すように、ステップＳ１１において、操作パネル２７Ａ上で他装置のＦＡＸ宛先情報が選択されるのを待つ。ここでは、例えば図１１に示すような操作パネル２７Ａの画面上で、ユーザにより、装置Ｂ３２の基板メーカーＡのＦＡＸ宛先情報が選択されたとする。この選択により、装置Ａ３１は、ステップＳ１２において、操作パネル２７Ａの表示を変更する。例えば操作パネル２７Ａの表示画面は図１２に示すような表示画面へ切り替えられる。この場合、選択された基板メーカーＡの部分がハイライト表示されるとともに、表示部左の選択ボタンの切り替えが行われ、「宛先へ送信」、「宛先の登録」、「戻る」の各ボタンが表示される。
【００４１】
次いで、装置Ａ３１は、ステップＳ１３において、図１２に示す「宛先へ送信」ボタンが選択されたか否かを判定する。ここで、「宛先へ送信」ボタンが選択されると、装置Ａ３１は、ステップＳ１４において、選択されたＦＡＸ宛先にファクシミリ送信を行い、本処理を終了する。
【００４２】
上記ステップＳ１３において上記「宛先へ送信」ボタンが選択されていないと判定された場合、装置Ａ３１は、ステップＳ１５において、上記「宛先の登録」ボタンが選択されたか否かを判定する。ここで、「宛先の登録」ボタンが選択されると、装置Ａ３１は、ステップＳ１６において、自装置のＨＤＤ（図１のＨＤＤ２８に相当）に選択されたＦＡＸ宛先情報を登録する。次いで、装置Ａ３１は、ステップＳ１７において、操作パネル２７Ａに表示される自装置のＦＡＸ宛先情報の一覧に選択されたＦＡＸ宛先情報を追加する。そして、装置Ａ３１は、ステップＳ１８において、操作パネル２７Ａに現在表示されている他装置のＦＡＸ宛先情報の一覧から、選択されたＦＡＸ宛先情報を削除し、本処理を終了する。
【００４３】
上記ステップＳ１５において上記「宛先の登録」ボタンが選択されていないと判定された場合、装置Ａ３１は、ステップＳ１９において、「戻る」ボタンが選択されたか否かを判定する。ここで、「戻る」ボタンが選択された場合、装置Ａ３１は、一つ前の表示（図１１の表示画面）に戻り、本処理を終了する。これに対し、「戻る」ボタンが選択されていない場合、装置Ａ３１は、上記ステップＳ１３に戻る。
【００４４】
装置Ｂ３２に登録されている基板メーカーＡのＦＡＸ宛先情報が装置Ａ３１に登録された後においては、図１３に示すように、基板メーカーＡのＦＡＸ宛先情報は装置Ａ３１に登録されているＦＡＸ宛先情報の一覧中に組み込まれて表示される。そして、図１４に示すように、基板メーカーＡのＦＡＸ宛先情報は、操作パネル２７Ａに表示される装置Ｂ３２のＦＡＸ宛先情報の一覧から削除される。
【００４５】
他装置に電源が投入されていないなど、他装置が立ち上げられていない場合においては、他装置の装置設定情報を認識することはできないが、本実施の形態によれば、自装置にはない他装置の装置設定情報を自装置に登録することができるので、使い勝手が向上する。
【００４６】
なお、本発明は上記実施の形態に限定されるものではなく、その要旨を逸脱しない範囲で種々変形して実施することができる。
【００４７】
また、本発明の目的は、前述した各実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることはいうまでもない。この場合、記憶媒体から読み出されたプログラムコード自体が前述した実施形態の機能を実現することになり、そのプログラムコードを記憶した記憶媒体は本発明を構成することになる。
【００４８】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。または、プログラムコードを、ネットワークを介してダウンロードしてもよい。
【００４９】
また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれる。
【００５０】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれる。
【図面の簡単な説明】
【００５１】
【図１】本発明の第１の実施の形態に係る通信装置としての画像形成装置の概略構成を示すブロック図である。
【図２】図１の画像形成装置の使用形態の一例を示す図である。
【図３】図２の装置Ａ３１の操作パネル２７Ａ（図１の操作パネル２７に相当する）に表示される、自装置にはない他装置の装置設定情報と自装置の装置設定情報との一覧画面の一例を示す図である。
【図４】図３の画面をスクロールすることによって他の装置設定情報が表示された画面の一例を示す図である。
【図５】図２の装置Ａ３１（図１の画像形成装置）による他装置の装置設定情報を取得するための処理の手順を示すフローチャートである。
【図６】装置Ａ３１の操作パネル２７に装置Ｂ３２のＦＡＸ宛先情報（装置Ａ３１にはない装置Ｂ３２のＦＡＸ宛先情報）が選択肢として追加表示された場合の画面例を示す図である。
【図７】装置Ａ３１の操作パネル２７Ａに装置Ｂ３２のＦＡＸ宛先情報（装置Ａ３１にはない装置Ｂ３２のＦＡＸ宛先情報）の一覧が表示された場合の画面例を示す図である。
【図８】装置Ａ３１の操作パネル２７Ａに装置Ｃ３３のＦＡＸ宛先情報（装置Ａ３１および装置Ｂにはない装置Ｃ３３のＦＡＸ宛先情報）の一覧が表示された場合の画面例を示す図である。
【図９】装置Ａ３１の操作パネル２７ＡにＬＡＮ３５上の装置の探索後によって得られたＦＡＸ宛先情報の一覧を表示した場合の画面例を示す図である。
【図１０】本発明の第２の実施の形態に係る通信装置としての画像形成装置による他装置の装置設定情報を自装置に登録するための処理の手順を示すフローチャートである。
【図１１】装置Ａ３１の操作パネル２７Ａに装置Ｂ３２のＦＡＸ宛先情報（装置Ａ３１にはない装置Ｂ３２のＦＡＸ宛先情報）の一覧が表示された場合の画面例を示す図である。
【図１２】操作パネル２７Ａに表示されている装置Ｂ３２のＦＡＸ宛先情報の一覧上において装置Ａ３１に登録するＦＡＸ宛先情報が選択された画面状態を示す図である。
【図１３】選択された装置Ｂ３２のＦＡＸ宛先情報が組み込まれた装置Ａ３１のＦＡＸ宛先情報の一覧の画面例を示す図である。
【図１４】選択された装置Ｂ３２のＦＡＸ宛先情報が装置Ａ３１のＦＡＸ宛先情報に組み込まれた後の装置Ｂ３２のＦＡＸ宛先情報の一覧の画面例を示す図である。
【符号の説明】
【００５２】
１  画像形成装置
１１  ＣＰＵ
２１  ＲＡＭ
２２  ＲＯＭ
２３  ＦＡＸモジュール
２４  ＬＡＮモジュール
２７，２７Ａ  操作パネル
３１，３２，３３，３４  装置（画像形成装置）
３５  ＬＡＮ
【図１】
2008289191.tif 000003
【図２】
2008289191.tif 000004
【図３】
2008289191.tif 000005
【図４】
2008289191.tif 000006
【図５】
2008289191.tif 000007
【図６】
2008289191.tif 000008
【図７】
2008289191.tif 000009
【図８】
2008289191.tif 000010
【図９】
2008289191.tif 000011
【図１０】
2008289191.tif 000012
【図１１】
2008289191.tif 000013
【図１２】
2008289191.tif 000014
【図１３】
2008289191.tif 000015
【図１４】
2008289191.tif 000016